Podtech/llm-jp-corpus-v4-ja_patent huggingface dataset:
(57)【要約】【技術課題】  天蓋と胴との嵌合部の加工及び塗りに際し、熟練者でなければならない、と云った問題を解消できる箱位牌を提供する。【解決手段】  上部に位牌板９出し入れ用の開口部３を形成した箱位牌において、前記開口部３の周縁の一部に永久磁石５又は鉄片８を取り付けると共に、前記開口部３を覆う天蓋６の下面であって、前記永久磁石５又は鉄片８の対向する位置に永久磁石５又は鉄片８を取り付け、永久磁石５の力で天蓋６を胴１に固定するようにする。【選択図】図３
0003128159.tif 000002
【実用新案登録請求の範囲】
【請求項１】
上部に位牌板出し入れ用の開口部を形成した胴の前記開口部の周縁の一部に永久磁石又は鉄片を取り付けると共に、前記開口部を覆う天蓋の下面であって、前記永久磁石又は鉄片と対向する位置に永久磁石又は鉄片を取り付けることにより、胴上に天蓋を被せたときに、この永久磁石の吸磁力により天蓋がズレたり、容易に外れたりしない構造の箱位牌。
【考案の詳細な説明】
【技術分野】
【０００１】
本考案は、複数枚の位牌板を一緒に収納するための箱位牌に関する。
【背景技術】
【０００２】
位牌は、故人ごとに一枚ずつ存在し、通常は仏壇内に納められているが、旧家のように故人の数が多くなると、仏壇内に位牌等を納めておくスペースが足りなくなる。そこで、位牌から台座を取り外し、板の部分だけを一括して収納しておくための箱位牌というものがある。
この箱位牌は、上部に位牌板出し入れ用の開口部を形成した胴内に位牌板を収納した後、開口部上に天蓋を被せておくものであるが、天蓋をそのまま載置したのではズレたり、外れたりするため、胴の上端部と天蓋の間に係合用の凹凸部（嵌合部）を形成している。
しかし、箱位牌の胴は、木製の塗り仕上げのため、塗りムラが起こり、嵌合部の精度が出しずらいため、熟練した加工技術が要求されるが、このような熟練した技術を持つ人材は不足しているのが現状である。
このため、天蓋の嵌合が緩かったり、きつかったりするという問題がある。
【考案の開示】
【考案が解決しようとする課題】
【０００３】
本考案は、斯かる点に鑑みて提供されるものであって、その目的は、箱位牌の胴と天蓋との嵌合部において、加工精度や塗りムラにそれ程気を遣う必要がなく、箱位牌の製作に当たって熟練した加工技術を持たない人でも適応できる構造の箱位牌を提供することである。
【課題を解決するための手段】
【０００４】
上記目的を達成するため、請求項１に記載の考案においては、箱位牌において、上部に位牌板出し入れ用の開口部を形成した胴の前記開口部の周縁の一部に永久磁石又は鉄片を取り付けると共に、前記開口部を覆う天蓋の下面であって、前記永久磁石又は鉄片と対向する位置に永久磁石又は鉄片を取り付けることにより、胴上に天蓋を被せたときに、この永久磁石の吸磁力により天蓋がズレたり、容易に外れたりしない構造を特徴とするものである。
【考案の効果】
【０００５】
上記のように、胴と天蓋を永久磁石により固定するようにすると、仮に天蓋と胴との嵌合部が緩かったりしても天蓋の取り付けを正しく行うことができるばかりでなく、仏壇の清掃などに際して手が触れても天蓋がズレたり、外れたりする心配がない。
また、天蓋は永久磁石で固定されているだけのため、取り外しが簡単である。
更に、天蓋を永久磁石により胴に固定するため、箱位牌の製作において、従来のように嵌合精度を高めた加工を行ったり、塗りムラに気を遣う必要がないので、必ずしも熟練者が製作に携わらなくても良い。
【実施例】
【０００６】
図１〜３に基づいて、本考案に係る箱位牌の実施例を詳細に説明する。図１は、箱位牌全体を示す正面図、図２は胴の開口部を示す平面図、図３は永久磁石を用いた天蓋の取付構造を示す断面図である。これら各図において、１は内部に位牌板収納部２を形成し、上部に位牌板出し入れ用の開口部３を形成した胴であって、この胴１の開口部３の上縁４の左右の中央には、それぞれ永久磁石５が上向きに取り付けられている。
６は、上記胴１の開口部３上に被せられた天蓋であって、この天蓋６の下面には、胴１の開口部３の周囲に係合する縁７が形成されていると共に、前記永久磁石５と対向する部分には、下向きに鉄片８が取り付けられている。図中、９は胴１内に納められた位牌板である。
【０００７】
このように、胴１の開口部３の上縁４に永久磁石５を取り付け、天蓋６側に鉄片８を取り付けたことにより、胴１に天蓋６を被せると、永久磁石５の吸磁力により鉄片８が吸引されて天蓋６は固定される。この結果、天蓋６はズレたり、外れたりしない。
なお、永久磁石５を天蓋６側に、鉄片８を胴１側に取り付けても良く、あるいは、極性を替えて双方に永久磁石５を取り付けるようにしても良い。
また、永久磁石５と鉄片８の取り付け位置は、前後、前後左右あるいは３ヶ所のいずれでも良く、この数と位置は自由である。
【図面の簡単な説明】
【０００８】
【図１】本考案に係る箱位牌の正面図
【図２】胴の上部を示す説明図
【図３】永久磁石で天蓋を固定した状態の説明図
【符号の説明】
【０００９】
１  胴
２  収納部
３  開口部
４  上縁
５  永久磁石
６  天蓋
７  枠縁
８  鉄片
９  位牌板
【図１】
0003128159.tif 000003
【図２】
0003128159.tif 000004
【図３】
0003128159.tif 000005
(57)【要約】【課題】開口部を締紐で閉塞させるようにした布製の米袋において、完全に閉塞させた米袋を簡便に持ち運べるようにすること【解決手段】上部に開口部を設けた袋本体を不織布で形成し、これに把手を取り付け、袋の開口部に薄手の生地からなる筒状布を固定し、筒状布に締紐を取り付ける【選択図】図１
0003128150.tif 000002
【実用新案登録請求の範囲】
【請求項１】
開口部を締紐で閉塞させるようにした布製の米袋において、上部に開口部を設けた袋本体を不織布で形成して把手を取り付け、袋の開口部に薄手の生地からなる筒状布を固定し、これに締紐を取り付けた米袋。
【請求項２】
筒状布を綿生地で形成した請求項１に記載の米袋。
【請求項３】
袋本体に透明フィルムを取り付けた透視窓を形成した請求項１又は２に記載の米袋。
【請求項４】
把手の下端部を袋本体の底部に臨ませた請求項１、２又は３に記載の米袋。
【考案の詳細な説明】
【技術分野】
【０００１】
本考案は、開口部を締紐で閉塞させるようにした布製の米袋に関するものである。
【背景技術】
【０００２】
この種の袋としては、特許文献１に開示した穀物収納袋が知られている。
この袋は、合成樹脂製の平紐で編み上げた袋の開口縁に締紐ないし丸紐を取り付け、穀物を収納した後紐で開口部を括り付けて閉塞する構成を採用している。
【０００３】
しかしながら、合成樹脂製の平紐で編み上げた袋の開口部を収縮させて紐で括り付けると、開口部に発生する皺によってシート生地の間に隙間が発生して完全に閉塞できない場合があった。そのため、袋が転倒すると、この隙間から穀物が零れだすおそれがあった。とりわけ、５kgや１０Kg米袋では、強靱さが要求されるため、生地の肉厚が大きくなってゴワツキが生じ、開口部が括りにくくなる傾向となる。
また、この袋には把手が取り付けられていないため、袋を移動させる際には括り付けた部分を握って袋を持ち上げざるを得ず、袋の持ち運びに無理な姿勢をとらざるを得なくなって、腰を痛めてしまう不都合もあった。
【特許文献１】実開昭５３−５１８１６号公報
【考案の開示】
【考案が解決しようとする課題】
【０００４】
本考案は、開口部を締紐で閉塞させるようにした布製の米袋において、完全に閉塞させた米袋を簡便に持ち運べるようにすることを課題としたものである。
【課題を解決するための手段】
【０００５】
この技術的課題を解決するための第一の技術的手段は、（イ）上部に開口部を設けた袋本体を不織布で形成し、（ロ）これに把手を取り付け、（ハ）袋の開口部に薄手の生地からなる筒状布を固定し、（ニ）筒状布に締紐を取り付けたこと、である。
第二の技術的手段は、この筒状布を綿生地で形成したことであり、第三の技術的手段は、袋本体に透明フィルムを取り付けた透視窓を形成したことであり、第四の技術的手段は、把手の下端部を袋本体の底部に臨ませたことである。
【０００６】
袋体は、生地が不織布で形成されているため、強靱でありながら十分な通気性を確保することができ、米の収納状態において袋内が蒸れるおそれがない。
【０００７】
袋の開口部には、薄手の生地からなる筒状布が固定されていて、米の出し入れはこの筒状布を利用して行なわれる。
米を収納した後に筒状布を束ねて閉塞させると、生地が薄手のものであるために、その部分に隙間を生じさせずに袋を確実に閉塞させることができ、そのまま筒状布に取り付けた締紐を括り付けると、袋の閉塞状態を維持させることができる。
【０００８】
この袋本体には把手が取り付けられているから、無理な姿勢をすることなく、把手を持って米袋を簡便に持ち運ぶことができる。
【０００９】
上記の技術的手段において、筒状布を綿生地で形成すると、締紐で括りつけた状態で袋の開口部をしっかりと括り付けることができる。
袋本体に透明フィルムを取り付けた透視窓を形成した場合には、袋の外側から収納した米を視認できるから、米の種類、品質、収納状態などを確認することができる。
また、把手の下端部を袋本体の底部に臨ませておくと、米袋の底側から把手に荷重を受けさせられるため、袋自体の過重負担を軽減することができる。
【考案の効果】
【００１０】
袋を完全に閉塞させた状態で簡便に持ち運べる結果、重い米袋の取扱が容易となり、持ち運びに無理な姿勢或いは不自然な姿勢が要求されることもない。
店内に米を陳列する際には、従来横積みされられていた米袋を立てた状態で陳列できる利もある。
また、米を購入した顧客は、把手を持ってそのまま米を持ち帰ることが可能となり、別途包装ようの袋を用意する必要もない。
【実施例１】
【００１１】
図１は、本考案にかかる米袋の正面図を示したものである。
袋体１は、底面２の直径が約１２cm、高さが約４５cmの横断面円形の形態となっている。この袋体１は、スパンボンド布で形成しているが、他の不織布を使用してもよいのは勿論である。
【００１２】
この袋体１には把手３が取り付けられている。把手の両端側４、４の筒壁に縫着してあってその両下端部は袋体１の底面にまで到達していて、把手３全体で米の荷重を底部から支えられるようにしている。
この把手３は、本実施例では、袋体１と同じ不織布を使用しているが、別の不織布、或いは別の種類の生地を使用するようにしても良い。
【００１３】
袋体１の上縁には、薄手の面生地で形成した筒状布５の下部が縫着５し、米を出し入れする開口部を形成するようになっている。
筒状布６の開口部は、そこに取り付けられている紐７を括り付けることによって閉塞されるようになっている。この紐７は、一部を筒状布６に固定させたり、筒状布６の上縁に沿って挿通部を設けてその中に挿通させるようにすれば良い。
【００１４】
なお、この実施例では、袋体１の下部に透孔８を穿設すると共にこれに透明フィルムを取り付けて、外から袋１内の米の状態を見ることができるようにしている。
【図面の簡単な説明】
【００１５】
【図１】米袋の正面図
【符号の説明】
【００１６】
１米袋、  ２米袋の底面、  ３把手、  ４把手の下端部側、  ５縫着部、  ６薄手の生地からなる筒状布、 
７紐、  ８透孔
【図１】
0003128150.tif 000003
(57)【要約】【課題】従来あるフィルター付紙巻タバコのニコチン・タール分等を任意で健康的な含有量にし、従来有る紙巻タバコを喫煙する必要量のみ喫煙することにし、ゴミを減らす。【解決の手段】従来あるフィルター付紙巻タバコをフィルター・紙巻タバコ部分に切り離し、切り離したフィルターの部分を挿入できるフィルター挿入部を作り、好みによりフィルターの長さを決め挿入する。フィルターを取った残りの紙巻タバコを任意な長さのタバコを挿入できる紙巻タバコ挿入部を作り、紙巻タバコ挿入部・フィルター挿入部・別途つくった吸い口部を接続し喫煙できるようにした。【選択図】図１
0003128113.tif 000002
【実用新案登録請求の範囲】
【請求項１】
フィルター挿入部に従来あるフィルター付紙巻タバコのフィルター部分を切り取り、切り取ったフィルターが３本程度入る長さのフィルター挿入部のなかに、従来あるフィルター付タバコのフィルターを任意の好みの長さにて挿入しニコチン及びタール分など含有量を自己調整できる喫煙状況を作りだすことを特徴としてあるエコパイプ。
【考案の詳細な説明】
【技術分野】
【０００１】      本考案は喫煙具に関する。
【背景技術】
【０００２】  従来のフィルター付き紙巻タバコは購入後そのままの形態にて喫煙していた。
そして紙巻タバコの部分を半分もしくは３／４程度喫煙しフィルターをつけたまま廃棄していた。
【考案の開示】
【考案が解決しようとする課題】
【０００３】  しかし、これではニコチン・タール分など含有量を自分の好みにて調整することができない。また、フィルターのついた紙巻タバコの残り部分が多く不経済であり、ゴミ処理を極力少なくすることにする。
【課題を解決するための手段】
【０００４】  そこで従来あるフィルター付き紙巻タバコのフィルターと紙巻タバコの部分を別々に切断し、煙管の紙巻タバコ挿入部分に紙巻タバコの部分を任意な長さに切断した紙巻タバコの部分を受けるようにし、フィルター挿入部に切断した紙巻タバコのフィルター部分を好みの長さ（最長３本程度）にて挿入できる部分を作ることにし、吸い口を接続し喫煙を楽しむ喫煙具とした。
【考案の効果】
【０００５】  本考案のエコパイプにより従来のフィルター付紙巻タバコを本来あるタバコの基本的な味・香を変えることなくフィルターの長さを調整することにより、ニコチン・タール分等を調整することが可能となりより健康的な喫煙を楽しむことができる。【０００６】フィルター挿入部に別個の特殊フィルターを作製し挿入することによりオリジナルの香などを楽しむことが出来るようにもなる。【０００７】更にフィルター付紙巻タバコの紙巻タバコの部分を紙巻タバコ挿入部にいれて喫煙するのであるが、紙巻タバコの部分を任意な長さにして紙巻タバコ挿入部にいれることにより紙巻タバコ１本を数回に分けて喫煙することができ、喫煙者の経済的負担が少なくなる。【０００８】  通常半分程度しか喫煙しないタバコを紙巻タバコの部分は必要量しか挿入しない為紙巻タバコの部分は残り分がほとんどなくなり、フィルター部のみがゴミ処理されることになり、ゴミが少なく環境上有意義となる。
【考案を実施するための最良の形態】
【０００９】  本考案に係る喫煙具は、図１に示すように、紙巻タバコ挿入部の開口部分を斜めに溝をつけ紙巻タバコの直径が違う場合も想定しており、フィルター挿入部の長さを従来の紙巻タバコのフィルター３本が直列に入る程度の寸法とする。【００１０】  好みによってはオリジナルのフィルターも考案し挿入できるし従来あるフィルターとオリジナルフィルターとの組合せも出来る。【００１１】  製品の材質として金属製・木製・プラスチック製など喫煙者の好みにて作る。【００１２】  紙巻タバコ挿入部と吸い口部とフィルター挿入部を別々に作り煙菅内部の掃除をしやすくする。
【図面の簡単な説明】
【００１３】
【図１】      本考案に係る喫煙具の断面図である。
【符号の説明】
【００１４】      １      紙巻タバコ挿入部
２      フィルター挿入部
３      吸口部
４      紙巻タバコ
５      フィルター
【図１】
0003128113.tif 000003
(57)【要約】      （修正有）【課題】初級者・中級者レベルの相撲競技者にも対応できる室内土俵を提供する。【解決手段】相撲の土俵の俵・徳俵・蛇の目の断面を形成する合成ゴムで、同じ形をした４つのピースを組み合わせると内径４５５０ｍｍの土俵の円を形成し、それぞれのピースを凹凸状のジョイント部で繋げて、さらにその上からマジックテープ（商標登録）で固定して一体化して、一体化した事による自重と裏面をノンスリップ加工することによって床との摩擦で土俵に力が加わっても土俵をズレにくくする、室内用ジョイント式土俵。【選択図】図１
0003128116.tif 000002
【実用新案登録請求の範囲】
【請求項１】
室内用ジョイント式土俵において、
（１）相撲の土俵の俵・徳俵・蛇の目の断面を形成する合成ゴムで、
（２）同じ形をした４つのピースを組み合わせると内径４５５０ｍｍの土俵の円を形成し、
（３）それぞれのピースを凹凸状のジョイント部で繋げて、
（４）さらにその上からマジックテープ（商標登録）で固定して一体化して、
（５）一体化した事による自重と裏面をノンスリップ加工することによって床との摩擦で土俵に力が加わっても土俵をズレにくくする、
以上からなる室内用ジョイント式土俵。
【考案の詳細な説明】
【考案の詳細な説明】
【産業上の利用分野】
【０００１】この考案は、室内用土俵に関するものである。
【背景技術】
【０００２】従来、キャンパスシートに俵を置いたものである。
【考案が解決しようとする課題】
【０００３】従来は次のような欠点があった。
（イ）相撲を取っている時に足元に生じる大きな力でシート・俵が動き、相撲がとりにくく、ケガの恐れがあった。
（ロ）初級者を対象とした室内用土俵であった。
【問題を解決するための手段】
【０００４】本考案は、初級者・中級者レベルの相撲競技者にも対応できる室内土俵を提供するためのものである。
それを説明すれば、相撲の土俵の俵・徳俵・蛇の目の断面を形成する４つのピースに分けた同じ形の合成ゴムを床の上で凹凸状のジョイント部分で繋げて、さらにジョイント部分の強度を増すためにその上からマジックテープ（商標登録）で固定して内径４５５０ｍｍの土俵を形成する。
【作用】
【０００５】以上の構成であるため、一体化することにより全体の重量が重くなる事と裏面をノンスリップ加工した事による摩擦力が大きくなり、俵に大きな力が加わっても俵がズレにくくなり、室内での初級者・中級者レベルの相撲にも対応できる土俵を提供する事が出来る。
【実用例】
【０００６】以下、本考案の実用例について説明する。
（イ）体育館の床に設置する場合はクッション材を敷いた上に、畳の上に設置する場合は直接４つのピースを所定の位置に敷く。
（ロ）それぞれのピースを凹凸状のジョイント部で繋げて、さらにその上からマジックテープ（商標登録）で固定して一体化すると、内径４５５０ｍｍの土俵を形成する。
（ハ）競技を行う。
（ニ）競技終了後、ジョイントをはずして各ピースを撤去して保管する。
【考案の効果】
【０００７】本案は以上のような機能で、これを利用することによって以下のような効果が得られる。
（イ）柔道畳や体育館の床に土俵が簡単に設置できる。
（ロ）不要な時には撤去が簡単に出来る。
（ハ）組立・撤去・保管が簡単である。
（ニ）一体になった時には、全体の重量と裏面のノンスリップ加工による床との摩擦力によって土俵がズレにくくなる。
【図面の簡単な説明】
【図１】は組立前平面図。
【図２】は組立平面図。
【図３】はイーイ俵部分断面図
【図４】はローロ徳俵部分断面図
【図５】は俵・徳俵立体図
【図６】はジョイント部立体図
【符号の説明】
１；俵
２；徳俵
３；蛇の目
４；凹凸状ジョイント部
５；マジックテープ（商標登録）
６；裏面（ノンスリップ加工）
【図１】
0003128116.tif 000003
【図２】
0003128116.tif 000004
【図３】
0003128116.tif 000005
【図４】
0003128116.tif 000006
【図５】
0003128116.tif 000007
【図６】
0003128116.tif 000008
(57)【要約】【課題】三味線は先端側は上駒として金属駒を用いて作られているが、対する終端の音緒側には下駒がなく、表皮上の駒を経た後はそのまま音緒という組紐に連結している。しかし、この方式では音源である三味線糸の振動を無駄なく三味線本体に伝えることができないという問題点があった。【解決手段】音緒の付根と三味線胴の木枠の間に真鍮製の金属板を三味線の下駒として挟み入れる事によって、三味線の糸の振動を無駄なく三味線胴に伝える方法を課題解決の手段とした。【選択図】図２
0003128111.tif 000002
【実用新案登録請求の範囲】
【請求項１】
真鍮製金属板を三味線の音緒の付根と三味線胴の木枠の間に挟み入れる事によって、三味線の糸の振動を無駄なく三味線胴に伝え、音量の増加と音質の向上を実現することを特徴とした金属製三味線下駒。
【考案の詳細な説明】
【考案の開示】
【考案が解決しようとする課題】
【０００１】三味線は先端側は上駒として金属駒を用いて作られているが、対する終端の音緒側には下駒がなく、表皮上の駒を経た後はそのまま音緒という組紐に連結している。しかし、この方式では音源である三味線糸の振動を無駄なく三味線本体に伝えることができないという問題点があった。
【課題を解決するための手段】
【０００２】音緒の付根と三味線胴の木枠の間に真鍮製の金属板を三味線の下駒として挟み入れる事によって、三味線の糸の振動を無駄なく三味線胴に伝える方法を課題解決の手段とした。
【考案の効果】
【０００３】三味線の音量の増加と音質の向上を低コストで実現することができる。
【図面の簡単な説明】
【０００４】
【図１】金属製三味線下駒単体の構造図である。
【図２】取り付け後の図である。
【符号の説明】
【０００５】Ａ  金属製三味線下駒
Ｂ  駒
Ｃ  音緒
Ｄ  三味線本体
【図１】
0003128111.tif 000003
【図２】
0003128111.tif 000004
(57)【要約】【課題】水圧の大小が階によって異なる高層建築物において、水圧の差異に関わらず全ての階に適合させることができ、節水しながらも適当な水流を保ち、快い使用感が得られる安価な節水部材を提供するものである。【解決手段】円柱体１の一部である１ａと小ワッシャー２との間に、各階の水圧に反比例する大きさの内径をもつ通水孔を設けた大ワッシャー３を通すことにより通水量の節減を図り、１ａを曲折させて円柱体１の可動範囲を文頭の範囲内に制限することで全体を管路内の一部分に固定し、また小ワッシャー２に施した二箇所の切り込み２ａを曲折部１ａ側に曲折させ、切り込み２ａの角度を各階毎に水圧に反比例する大きさに調節することによって、全ての階で同等の適切な水流及び使用感を保つ効果と節水効果とを同時に実現するための節水部材である。【選択図】図１
0003128118.tif 000002
【実用新案登録請求の範囲】
【請求項１】
円柱体１の一端に、二箇所に切り込み２ａを施した小ワッシャー２を固定し、切り込み２ａの角度を水圧の大小に合わせて調節することで、水が流れると全体（大ワッシャー３を除く。）がプロペラのように回転することにより、水流を整えることができる水流調整部材。
【請求項２】
請求項１の水流調整部材において、小ワッシャー２と曲折部１ａとの間に大ワッシャー３を設けることにより、シャワーヘッドとシャワーホースとの接合部管路内に大ワッシャー３の外径をもって固定することができ、また大ワッシャー３の内径と円柱体１との間に生じる小径の通水孔を水が通過することによって節水を図り、さらに水圧の大小に関わらず適当な使用感を保つことのできる節水こま。
【考案の詳細な説明】
【考案の詳細な説明】
【技術分野】
【０００１】本考案はシャワーヘッドとシャワーホースとの接合部管路内に介在配置させて節水および水流調整を図るための節水部材に関する。
【背景技術】
【０００２】従来の節水こまは、主として吐出水量を抑制することを目的として、水栓部に配置され、使用されるものであった。【０００３】しかしながら、節水効果は確認できても、高層建築物における各階の水圧の物理的な差異が考慮されていなかったため、階によっては吐水の勢いが弱くなってしまい、使用感が損なわれることがあるという欠点が存在していた。【０００４】また、その欠点を克服するために、各階の水圧に適合できるよう階毎に異なる型の節水こまを製造ないし調達しようと試みると、多大な費用が生じ、節水によって削減されるはずの費用と相殺されてしまい、節水こま設置の効果があまり見込めないという結果が生じていた。
【考案の開示】
【考案が解決しようとする課題】
【０００５】そこで本考案は、水圧が各階で異なる高層建築物において、水圧の大小に合わせて全ての階に適合させることができ、節水しながらも適当な水流を保ち、快い使用感が得られる安価な節水部材を提供するものである。
【課題を解決するための手段】
【０００６】各階の水圧に反比例する大きさの内径の通水孔を設けた大ワッシャーを円柱体に通し、円柱体の一部を曲折させて円柱体の可動範囲を制限し、また大ワッシャーの内径と円柱体との間に生じる小径の通水孔を水が通過することによって通水量の節減を図るものである。【０００７】さらに小ワッシャーに施された二箇所の切り込みを円柱体の曲折部側に曲折させ、その曲折角度を各階毎に水圧に反比例する大きさに調節することによって、全ての階で同等の適切な水流および使用感を保つ効果と節水効果を同時に実現することができるのである。
【考案の効果】
【０００８】本考案は、各々内径の異なる大ワッシャーさえ準備すれば、小ワッシャーに施された切り込みの角度を調整するだけで、同じ高層建築物内での水流を各階の水圧の大小に合わせて全て同等の水準に調整することができ、かつ節水も可能であるという効果を持つ。
【考案を実施するための最良の形態】
【０００９】以下、本考案の詳細を図示した形態例で説明する。図１および図２で示す形態例において、大ワッシャー３を除く部分は市販のパネル留め用部材本体である。市販の状態では、曲折部１ａはねじ４に平行して真っ直ぐな状態となっており、円柱体１の一部分を成している。【００１０】小ワッシャー２と市販の状態のままの１ａに該当する部分との間に大ワッシャー３を通し、１ａに力を加え、大ワッシャー３の内径の通水孔が１ａの部分を通過できないように、図１で示される形に曲折させる。この作業によって、大ワッシャー３の可動範囲は小ワッシャー２と曲折部１ａとの間の範囲となる。ここで、水圧が小さい階ほど、大ワッシャー３の内径を大きく取ることが肝要である。【００１１】さらに、小ワッシャー２に施された二箇所の切り込み２ａを大ワッシャー３の側に曲折させる。各階で異なる水圧に適合させるために、水圧が小さい階ほど、角度を大きく曲げることが必要である。以上の作業によって、全ての階に適合させることができる。【００１２】この節水こまを利用する際は、シャワーヘッドとシャワーホースとの結合部の管路内に大ワッシャー３の外径をもって固定する。このとき、シャワーヘッドの側に小ワッシャー２を向けて固定する。固定した上で、シャワーをシャワーホルダーに収めると、大ワッシャー３と小ワッシャー２は重力によって互いに接している状態となる。【００１３】この状態において、曲折部１ａの方向から小ワッシャー２の方向へ水が流れることによって、小ワッシャー２が水に押し出され、大ワッシャー３の内径と円柱体１との間に、管路の直径よりも一回り小さな通水孔ができる。これによって、節水の効果が得られ、また水圧に合わせて調節済みの大ワッシャー３の内径の大きさによって、水圧の調整ができるのである。【００１４】このように一たび調整された水流が角度を調節された切り込み２ａに流れ込むことにより、プロペラのように円柱体ごと回転する結果、適当な水流を保ち、節水効果と同時に快適な使用感を得られるようになるのである。
【実施例】
【００１５】１階に貯水槽が備えられている１０階建てのホテル（全客室にバス・トイレが設置されているものとする。）において、水圧が大きい１階客室では切り込み２ａの角度および大ワッシャー３の内径を小さめに、水圧が比較的小さい１０階客室ではそれらを大きめに取った上で、シャワーヘッドとシャワーホースとの結合部管路内に本考案の節水こまを配置し、全ての階において同等の節水効果・使用感が得られるものとする。
【図面の簡単な説明】
【００１６】
【図１】本考案の提供する節水こまを側面から見た図を示した平面図である。
【図２】本考案の提供する節水こまを上方から見た図を示した平面図である。
【符号の説明】
【００１７】１      円柱体
１ａ    曲折部
２      小ワッシャー
２ａ    切り込み
３      大ワッシャー
４      ねじ
５      プラスチック製部品
【図１】
0003128118.tif 000003
【図２】
0003128118.tif 000004
(57)【要約】【課題】  車両のカップホルダーを利用して、携帯型音楽再生装置や携帯型情報端末等を、安定して操作可能に装着保持する装置を安価に供給する事を目的とする。【解決手段】  携帯型音楽再生装置などを、スポンジ等の保持材を内装するカップ形状の外装材に保持し、車両のカップホルダーに装着することで課題を解決する。【選択図】図１
0003128117.tif 000002
【実用新案登録請求の範囲】
【請求項１】
車両に取り付けられたカップホルダーに対して、該ホルダーに挿入可能な外径の外装材と外装材に内接するスポンジ等の保持材からなり、保持材には携帯型音楽再生装置等を挟持する開口が設けられた事を特徴とする携帯型音楽再生装置等の車載用保持具。
【請求項２】
請求項１に於いて、保持材が複数のプレートからなる積層構造により構成された事を特徴とする携帯型音楽再生装置等の車載用保持具。
【請求項３】
請求項１に於いて、保持材が複数のブロック構造により構成された事を特徴とする携帯型音楽再生装置等の車載用保持具。
【考案の詳細な説明】
【技術分野】
【０００１】  本考案は、携帯型音楽再生装置及び携帯型情報端末等の車両への装着保持台座に関するものである。
【背景技術】
【０００２】  従来の技術思想では、車両に取り付けられたカップホルダーを利用した車載用保持具は、携帯型音楽再生装置等の形状に合わせた専用ホルダーで該機器を保持するか、バネによる挟み込み機構の汎用ホルダーで保持する方法がとられていた。
【考案の開示】
【考案が解決しようとする課題】
【０００３】  本考案は車両にあらかじめ取り付けられているカップホルダーを利用して、携帯型音楽再生装置や携帯型情報端末等を、安定して操作可能に装着保持する装置を安価に供給する事を目的とする。
【課題を解決するための手段】
【０００４】  本考案では車両のカップホルダーに、該ホルダーに内接する寸法形状を持ったカップ形状の外装材を装着し、該外装材に内接するスポンジ等の保持材を配置する。保持材には携帯型音楽再生装置等が保持される保持開口を設け、該装置を保持開口に装着する事で、車両内に安定した形態で該装置を操作可能に装着保持するという課題を解決する。
【考案の効果】
【０００５】  上記のように本考案の携帯型音楽再生装置等の車載用保持具を装着することにより、置き場所の無かった該装置等を車両に確実に設置する事が可能となる。ＦＭトランスミッターと携帯型音楽再生装置等を接続しＦＭレシーバーで受信することで、携帯型音楽再生装置内の音楽を簡単に車内で聴くことが出来る。本考案で車両にあらかじめ設けられたカップホルダーを利用することで、保持具を車両に螺子又はテープ等で固定する必要が無くなり、他の車両への携帯型音楽再生装置及び保持具の簡単な移動が可能になる。該再生装置等の機種の変更に対しては、スポンジ等の保持材を交換するだけですむため、簡単に対応が出来、商品のライフサイクルを長く出来る。本考案の実施により、置場に困った携帯型音楽再生装置や端末の車両への確実な設置が可能になる。
【考案を実施するための最良の形態】
【０００６】  車両のカップホルダーに内接する寸法形状を持った、カップ形状の外装材の内部に、該外装材に内接する複数枚の硬質スポンジ材からなる保持材を配置する。保持材には携帯型音楽再生装置等が挟持される保持開口を設け、該装置を保持開口で挟持する事で、カップ形状の外装材と一体化し、カップホルダーを介して、車両内に安定した形態で該装置を操作可能に装着することが出来る。複数枚の硬質スポンジ材の下部スポンジには他機器と携帯型音楽再生装置等を接続するコードを通す開口を配する。使用する携帯型音楽再生装置等が保持開口に合わない場合、利用者は硬質スポンジ製の保持部をナイフなどで切削し、容易に適応調整する事が出来る。
【実施例】
【０００７】  以下、添付図面に基づいて実施例を説明する。
図１は本考案の携帯型音楽再生装置等の車載用保持具の構成断面図である。携帯型音楽再生装置４は積層された上部の保持材２の保持開口２ｂで挟持される。保持材２は外装材１に内接し固定される。外装材１は車両のカップホルダー６に差込装着される。接続コード５ａは下部の保持材３のコード貫通部３ａを通して外装材１の底部の開口から外部に達する。保持開口２ｂは容易に切削可能な材質の為、装着する機器の形状に利用者が適応調整する事が出来る。【０００８】  図２は携帯型音楽再生装置等を本考案の車載用保持具を用いて車両のカップホルダーに装着した使用状態を示す。【０００９】  図３は複数枚積層された保持材２と保持開口２ｂに対するコードの通過、及び外装材、携帯型音楽再生装置の配置構成の俯瞰図である。【００１０】  図４は保持材２に保持開口２ｂと上部コード開口２ｃを設けた実施例の平面である。コードは底部から外部に達することが不可能な場合上部から取り出す。【００１１】  図５は保持材２に半切断部２ｄを設けた実施例である。半切断部２ｄを利用者が切り抜くことで、使用する機器に合わせた容易な開口が可能になる。【００１２】  図６は車載用保持具の内部にＦＭトランスミッター７を配置した使用実施例である。保持材２は加工が容易なため、利用者が簡単に使用機器に対応させることが出来る。
【図面の簡単な説明】
【００１３】
【図１】携帯型音楽再生装置等の車載用保持具の断面図である。
【図２】車載用保持具の使用状態の俯瞰図である。
【図３】携帯型音楽再生装置を車載用保持具に配置した構成の俯瞰図である。
【図４】保持材の実施例の平面図である。
【図５】保持材の実施例の平面図である。
【図６】車載用保持具の内部に他の機器を内装した状態の断面図である。
【符号の説明】
【００１４】１外装材
２保持材
４携帯型音楽再生装置
６カップホルダー
７ＦＭトランスミッター
【図１】
0003128117.tif 000003
【図２】
0003128117.tif 000004
【図３】
0003128117.tif 000005
【図４】
0003128117.tif 000006
【図５】
0003128117.tif 000007
【図６】
0003128117.tif 000008
(57)【要約】【課題】  携帯用スリッパは携帯用という性質上、インソールは薄く簡素であり履き心地が悪い。また、疲労回復や健康増進といった機能を有する所謂、健康スリッパはインソールが厚く携帯するには不便だった。  本考案は、この課題を解決するために、折りたためる携帯用健康スリッパを提供する。【解決手段】  スリッパ底敷２に袋部６を装着し袋部６に弾性体７，８を着脱可能とし、不要の際は弾性体７，８を取り除けば、通常スリッパとして使用できる。底敷前部４、後部５に厚みを持たせ袋部６を空洞化することにより、インソールが凹状となり折りたためる。【選択図】図２
0003128115.tif 000002
【実用新案登録請求の範囲】
【請求項１】
スリッパ足裏接触面の足裏土踏まず相当部分に、弾性体を着脱可能とした袋部を設けたことを特徴とする携帯用健康スリッパ。
【請求項２】
上記、弾性体は球状又は円柱状であることを特徴とする、請求項１記載の携帯用健康スリッパ。
【請求項３】
スリッパのインソール前部、後部が厚く中央部は薄くすることを特徴とする請求項１、２のいずれかに記載の携帯用健康スリッパ。
【考案の詳細な説明】
【技術分野】
【０００１】  この考案は携帯用健康スリッパに関する。
【背景技術】
【０００２】  一般に健康スリッパは、足裏押圧刺激により疲労回復や健康増進に役立つことが知られている。そこで例えば、歩行中足裏土踏まずに凸状のプラスチックや青竹で押圧刺激を与えるようにした、所謂健康スリッパが使用されている（下記特許文献参照）。【０００３】
【特許文献１】実開５３−１１７３４７公報
【考案の開示】
実開５９−１０３６０１公報
【考案が解決しようとする課題】
【０００４】  しかしながら、疲労回復や健康増進等といった機能を有するつぼ刺激健康スリッパはインソールが厚い為、嵩張り、折りたたみしにくいなど携帯用するには不便であり、従来の携帯用スリッパは携帯用という性質上インソールは前部、中央部、後部のいずれも薄く簡素に出来ており履き心地が悪い。
【０００５】  また、つぼ刺激物としてプラスチックや青竹は硬く、刺激が強すぎてなれないうちは、長時間の使用が難しい。凸状形態は底面が平坦な為、動かすことが出来ず固定されており立時、歩行時において最も効果を発揮するが、着座時には刺激効果が弱い。
【課題を解決するための手段】
【０００６】  そこで本考案は、上記課題に鑑みなされたものである。
【０００７】  請求項１は、スリッパ足裏接触面の足裏土踏まず相当部分に、弾性体を着脱可能とした袋部を設けたことを特徴とする携帯用健康スリッパである。即ち、中央部に袋部を設けつぼ刺激物を着脱自在に装着できるようにし、通常使用時と疲労回復を図るべく足の裏のつぼ刺激を行うときのいずれにも兼用できる。
【０００８】  請求項２は、弾性体は球状又は円柱状であることを特徴とする請求項１記載の携帯用健康スリッパである。足の裏のつぼ刺激物の形状として刺激物が固定してしまう凸状ではなく球状、円柱状であると、使用時に刺激物自体も動き着座の際も使用でき長時間の移動時に、気軽に利用できる。つぼ刺激物として、弾性体（例えば、ゴム）を用いることにより硬度に段階をもたせることができ、消臭成分（例えば、炭）を混ぜ込むことも可能である。
【０００９】  請求項３は、スリッパのインソール前部、後部が厚く中央部は薄くすることを特徴とする請求項１，２のいずれかに関する、携帯用健康スリッパである。スリッパのインソール前部、後部に厚みを持たせ、つま先と踵にかかる負担を軽減させ中央部（袋部）を薄く中央部を軸に折りたためるようにした。
本考案は、この課題を解決する為になされたものである。
【考案の効果】
【００１０】  本考案に係わる携帯用健康スリッパは、足の裏中央部土踏まずにあたる部分のインソール２に袋部６を設け、袋部６に弾性体７，８を着脱自在に装着できるようにした。疲労回復や健康増進を図るべく、つぼ刺激を行うときと、通常使用時のいずれにも兼用できる。また、インソール２のつま先４、踵５にクッション材を入れ厚みをもたせ袋部６を空洞化することにより、つま先、踵の衝撃を緩和し持ち運ぶ際は、袋部６から折りたたむことができ、携帯するのに大変便利である。という効果を有する。
【考案を実施するための最良の形態】
【００１１】  この考案の一実施形態を図面に基づき説明する。
図１〜３においてスリッパ本体１の底辺に底敷２を設けて、甲被３の下部につま先のクッション材４及び、踵のクッション材５を備えて、本考案の特徴である袋部６を設置した。底敷２の中央部に袋部６を横断上に設け、つぼ刺激の必要に応じて弾性体７，８を着脱可能とした。
又、弾性体７，８に対して袋部６内に、余裕をもたせる事により、弾性体装着時に、つぼ刺激弾性体７，８を足裏で動かせるようにした。図４において、つま先４、踵５に例えば、クッション材で厚みをもたせ中央袋部６を空洞化することにより図４で示すようにスリッパ中央部より折りたたむことが可能である。弾性体７，８不使用時には、通常スリッパとして使用できる。【００１２】  スリッパ底敷２に袋部６を装着し袋部６に弾性体７，８を着脱可能とし不要の際は弾性体７，８を取り除けば通常スリッパとして使用ができる。【００１３】  底敷４，５に厚みを持たせ、袋部６をそれより薄くすることによりインソールが凹状となり折りたためる。厚みを持たせる手段として、例えばクッション材を用いてつま先、踵の衝撃を和らげ弾性体７，８を着脱可能とする。収納袋部６は例えば、伸縮性のある布により装着した構成が採られ、１つは弾性体の各種サイズに適合できる又、弾性体の動きをより円滑に出来る。
【図面の簡単な説明】
【００１４】
【図１】この考案の一実施形態を示す正面図である。
【図２】円柱状弾性体装着時の断面図である。
【図３】球形状弾性体装着時の断面図である。
【図４】折りまげ時の断面図である。
【符号の説明】
【００１５】      １  スリッパ本体
２  底敷
３  甲被
４  つま先のクッション材
５  踵のクッション材
６  袋部
７  円柱状弾性体
８  球形状弾性体
【図１】
0003128115.tif 000003
【図２】
0003128115.tif 000004
【図３】
0003128115.tif 000005
【図４】
0003128115.tif 000006
(57)【要約】【課題】  銀ナノ液を筆毛に浸透させることにより、長期的に抗菌（殺菌）効果を有することにより、合わせて防臭効果を有し、安全・安心して気持ちよく使用できる抗菌化粧筆を提案する。【解決手段】  化粧筆の筆毛に、銀ナノ液を浸透させてなることを特徴とする抗菌化粧筆。【選択図】図１
0003128112.tif 000002
【実用新案登録請求の範囲】
【請求項１】
化粧筆の筆毛に、銀ナノ液を浸透させてなることを特徴とする抗菌化粧筆。
【請求項２】
銀ナノ液の濃度を１０ｐｐｍ以上とすることを特徴とする請求項１記載の抗菌化粧筆。
【考案の詳細な説明】
【技術分野】
【０００１】  本考案は、化粧筆の筆毛に、抗菌（殺菌）作用のある銀ナノ液を浸透させてなる抗菌化粧筆に関するものである。
【背景技術】
【０００２】  従来の技術として、化粧筆の筆穂を筆毛が乱れないよう整える方法であって、筆穂整形剤の含有液に筆穂を浸し、乾燥させる方法において、前記筆穂整形剤の少なくとも主成分として、デヒドロ酢酸系の防腐・殺菌剤を使用することを特徴とする化粧筆の筆穂の整形方法がある。（特許文献１参照）【０００３】  また、別の従来技術としては、必須成分である水溶性の酸化チタン、分散剤、水に界面活性剤が添加された酸化チタン水溶液を外表面にコートし、これを乾燥して光触媒層としたことを特徴とする筆記具の外装部品がある。（特許文献２参照）
【特許文献１】  特開平５−２０７９１２号公報
【特許文献２】  特開２００６−２０５４１２号公報
【考案の開示】
【考案が解決しようとする課題】
【０００４】  上記前者においては、筆穂整形剤としてデヒドロ酢酸系の防腐・殺菌剤を使用してなるもので、本考案は整形を主旨としておらず、かつ、殺菌剤としての成分も異なるものである。【０００５】  上記後者においては、抗菌性を期待し、外装部品に水溶性チタン（酸化チタン）液をコートしてなるものであるが、周知のとおり酸化チタンは光（紫外線や可視光）により抗菌効果を有するもので、光に当てなければ効果はない。
また、酸化チタンは濃度が高いと下地材を傷めることも知られており、管理が難しい。【０００６】  本考案は、上記のような従来の構成が有する問題点を解決しようとするもので、銀ナノ液を筆毛に浸透させることにより、長期的に抗菌（殺菌）効果を有することにより、合わせて防臭効果を有し、安全・安心して気持ちよく使用できる抗菌化粧筆を提案するものである。
【課題を解決するための手段】
【０００７】  本考案は、上記目的を達成するために、化粧筆の筆毛に、銀ナノ液を浸透させてなる。
また、銀ナノ液の濃度を１０ｐｐｍ以上とすることを特徴とする。
【考案の効果】
【０００８】１）、化粧筆の筆毛に銀ナノ液を浸透させることにより、筆毛の表面のみならず、内部に銀ナノ粒子を浸透させるもので、筆毛を水洗いしても内部の銀ナノ粒子は外へ洗い流されることなく、長期に保持できるため、筆毛において抗菌（殺菌）効果を長期に有し、合わせて防臭効果を有するものである。
２）、化粧品（メーカー等）を変えるごとに水洗いして使用できるため、化粧品の品質を変えることなく、安心して使用できる。
【考案の実施するための最良の形態】
【０００９】  抗菌化粧筆１は、化粧筆２の筆毛３に、銀ナノ液４（濃度１０ｐｐｍ以上とし、例えば７０ｐｐｍ前後を使用する。）を噴霧し、表面に銀ナノ粒子を付着させると共に、内部に浸透させ、内部にも銀ナノ粒子を保持するものである。
この状態で、自然乾燥（温風乾燥等でもよい）し、使用できるものである。
【００１０】  必要に応じて筆毛４を水洗い（洗剤で洗ってもよい）し、乾燥させ、何度でも使用できるものである。
なお、濃度を高く（例えば１００ｐｐｍ以上）しても効果は余り変化しない。
【図面の簡単な説明】
【００１１】
【図１】  本考案の一実施例による抗菌化粧筆を示す正面図。
【符号の説明】
【００１２】  １−−−抗菌化粧筆
２−−−化粧筆
３−−−筆毛
４−−−銀ナノ液
【図１】
0003128112.tif 000003
(57)【要約】【課題】  本考案は、バネと丸玉を利用した建物免震機である。【解決手段】  本考案の免震機は建物の荷重を考えた機であり、１のボルトに４のバネを取付け２の座金で押さえ、６の回転玉を５の鉄板に組込み回転を良くし、地震後は元の定位置に戻るよう受皿部を丸めてある。７の受け皿に溜まる水の排水穴は、１１である。１２の地震制御装置器を取付けて振動を調節する。【選択図】図３
0003128108.tif 000002
【実用新案登録請求の範囲】
【請求項１】
建物免震機において
（イ）上部鉄板（３）に建物等の重要な部分の荷重を受ける止めるためのボルト（１）座金（２）及び、ナットが備えてある。
（ロ）前記上部鉄板（３）と下部玉押さえ厚鉄板（５）の間には荷重抑えバネ（４）が挟み込まれていて、前記下部玉押さえ厚鉄板（５）の下には回転玉（６）が設けられ揺れを抑えるようになっている。
（ハ）前記回転玉（６）は、地震後元の位置に戻るよう凹状の回転玉受け皿（７）と前記下部押さえ厚鉄板（５）の間に置かれていて、回転受け皿（７）には水抜き穴（１１）があけてある。（１２）地震の振動をやわらげるため、制御装置器を取付けた。
上記（イ）（ロ）（ハ）の構造よりなる建物免震機。
【考案の詳細な説明】
【技術分野】
【０００１】  本考案は、地震から建物・その他を破壊等の事故を防止する目的で考えた。上下を利用したバネと前後左右に動く玉入りローラーを一体に組み込んだ機にし、玉の中心に戻るよう皿の中心部をくぼみにして、地震後に元の定位置に停止するよう考えた。バネ及び玉の数は上部の荷重に応じ、耐えられる数と配置にする。
【背景技術】
【０００２】  従来は建物の重量を十分に考えられないものが多く、本考案はその欠点を補いバネ及び前後左右に動く玉の数を多く考えた。
【考案の開示】
【特許文献１】  実用新案登録第３１２４５６５
【特許文献２】  特許公開２００２−１６１９４２
【考案が解決しようとする課題】
【０００３】  建物の下基礎部分に建物の荷重を支える受け皿を設置し、その上に前後左右に動く玉を置き、さらにその上にバネを連立に配置し建物の荷重を支えて地震の上下左右の動きを軽減し、建物・その他を破壊から防止する。
【課題を解決するための手段】
【０００４】  今後発生する地震に対し、万全な対策を考え大きな効果がある。
【考案の効果】
【０００５】  以下、考案の形態について説明する。
荷重を支えるバネの上下作用と丸玉の前後左右の動きを利用し、さらに玉の受け皿の下穴を開け、排水できるようにした。地震終了後は正常な位置に戻るよう受け皿の中心部をくぼみに考えた。地震の振動をやわらげるため、制御装置器を取付ける。
【図面の簡単な説明】
【０００６】
【図１】  本考案の斜視図である。
【図２】  本考案の断面図である
【図３】  本考案を建物等に設置した場合の斜視図である。
【符号の説明】
【０００７】  １    ボルト
２    座金
３    厚鉄板
４    押バネ
５    玉押さえ厚鉄板
６    回転玉
７    玉受皿
８    建築基礎
９    柱
１０  土台
１１  排水穴
１２  制御器
【図１】
0003128108.tif 000003
【図２】
0003128108.tif 000004
【図３】
0003128108.tif 000005
(57)【要約】【課題】格別の場所を要することなく一般の人でも気軽に酸素吸引が出来、健康増進に役立つ多くの場を提供する為、小スペース、省労力化、利便性の健康器を実現する。【解決手段】本考案はデスク型キャビネットのテーブル下底部分に酸素発生器をテーブルと一体化して収納し、その下部の空いたスペースにフット健康器などを収納することで小型化、省労力化、利便性を実現できるので、何処でも容易に設置することが出来る。したがってより多くの場所に設置することが可能となり一般の人々の健康増進に役立つ。【選択図】図１
0003128103.tif 000002
【実用新案登録請求の範囲】
【請求項１】
デスク型キャビネットのテーブル下底部に酸素発生器をテープルと一体化して設けたことを特徴する、デスク一体型酸素吸引健康器
【考案の詳細な説明】
【技術分野】
【０００１】  本考案は酸素の吸引が容易に出来る構造をもつ装置とフット健康機能を備えた部分をデスク型キャビネットに一体化した健康器に関するものである。
【背景技術】
【０００２】  従来は人が座る椅子にマッサージ機能を設けたり、まれに酸素発生器を別に置き、吸引ノズルだけを別に設けたものもある。したがって無駄なスペースを必要とし広く普及しない。
【考案の開示】
【考案が解決しようとする課題】
【０００３】  従来のように人が座る椅子自体にマッサージ健康機能を設けたものに酸素吸引機を別に設ける事は広いスペースを必要とし何処でも安易に設置できない、したがって業務用としては大きなスペースが在る旅館、温浴施設などに限られる。健康増進に役立つ多くの場所を提供するには小スペース、省労力化、利便性が求められる。
【課題を解決するための手段】
【０００４】  本考案はデスク型キャビネットのテーブル下底部に酸素発生器を一体化して収納しその下部にフットマッサージ器などの健康機器を収納する事で小スペースで足りるので何処でも手軽に設置する事が可能となる。
【考案の効果】
【０００５】  本考案のデスク一体型酸素発生機能付健康器はテーブルと酸素発生器を一体化することで小スペースでの利用が可能となり、また他のフット健康器を下段に設けることでコンパクトにまとまり何処でも容易に設けることができ普及がしやすい。これにより健康増進に広く貢献することが出来る。
【考案の実施するための最良の形態】
【０００６】  図１を参照して説明するとデスク型キャビネットのテーブルと一体化した酸素発生器を設け、下段はフットマッサージ器などの健康器具からなりコインタイマーを設けることにより営業としても使用出来る。
【実施例】
【０００７】  添付図面に従って説明する。１はデスク型キャビネット本体である、２はテーブルで酸素発生器３と一体化されている。吸引ホースの先端には吸引カップ５が取り付けてある。キャビネット本体１の下部には、フットマッサージ器７が設けられ、コインタイマー装置６により連動して動くようになっている。
【図面の簡単な説明】
【０００８】
【図１】本考案の使用状態を示す右側断面図である。
【図２】正面図である。
【符号の説明】
【０００９】  １  デスク型キャビネット本体
２  デスクテーブル
３  酸素発生器
４  吸引ホース
５  吸引取替カップ
６  コインタイマー装置
７  フットマッサージ器
【図１】
0003128103.tif 000003
【図２】
0003128103.tif 000004
(57)【要約】【課題】従来、浴槽シンクやキッチンシンクなどの現場での保温施工、断熱施工は、大変であった。これを簡単簡潔にて行える技術を提供することにある。【解決手段】樹脂系プレート（１）に折曲げ用溝（２）を設け、さらにこの樹脂系プレート（１）のプレート端面（３）に接着剤塗布部（４）を設ける。【選択図】図１
0003128101.tif 000002
【実用新案登録請求の範囲】
【請求項１】
樹脂系プレート（１）に折曲げ用溝（２）を設け、さらにこの樹脂系プレート（１）のプレート端面（３）に接着剤塗布部（４）を設けてなる、多目的保温用溝付プレート。
【考案の詳細な説明】
【技術分野】
【０００１】  本考案は、浴槽シンクや厨房シンクの保温、断熱を目的とする、施工技術に関するものである。
【背景技術】
【０００２】  現在各種シンク類の底部周囲の保温断熱施行工事は、現場で行われ苦慮していた。
【考案の開示】
【考案が解決しようとする課題】
【０００３】  従来、キッチンシンクや浴槽シンクの底周囲は、形状が不定形で保温材で、現場にて覆う施工は大変であった。特に、厚板のポリエチレンプレートは、折曲げる事が出来ないので、各現場では小刻みにカットして、貼付ける事になり、その手間が掛り、また、透間ができるので、それは大変な作業であった。
現時点では、なかなかコスト競合により、余分な工程を追加したくないのが本音である。このためローコストで簡単な方法を考えながら、日夜模索しているのである。
本考案は、このような問題を改善する為になされたものである。
【課題を解決するための手段】
【０００４】  ポリエチレンにポリプロピレンを設けた板材の、樹脂系プレート（１）に、縦横上下自在に曲げられるように、折曲げ用溝（２）を設ける。さらにはこの樹脂系プレート（１）の適当なる位置のプレート端面（３）に、接着剤塗布部（４）を設ける。
本考案は以上のような構成による、多目的保温用溝付プレートである。
【考案の効果】
【０００５】  １．浴槽シンクおよびキッチンシンク等の、底部およびその周囲部分は、形状が不定形だが、折曲げ用溝（２）で適当に曲げられるので、簡単にその面に、ぴったりとフィットさせることが出来、さらに接着剤塗布部（４）で簡単に密着固定出来る。
２．現場での断熱、保温施工作業が大幅に短縮し、また施工による保温効果が大きく、結露対策も完全である。
３．本考案の樹脂系プレート（１）は、形成温度が低いので、金型は木製の型、およびアルミ型等で済むので、金型代が大幅にコストダウンできる。
【考案を実施するための最良の形態】
【０００６】  保温、断熱材は発泡スチロールやウレタン樹脂、ポリエチレン樹脂等いろいろ使用されているが、どれも厚板になってくると、それを曲げることは容易ではない。つまり保温される製品の表面に沿って密着させて、貼りつける作業は従来では困難を強いられる。それでまず図１のごとく、樹脂系プレート（１）に縦横上下自在に、折曲げ用溝（２）を設ける。つまり溝部分は適度の薄厚に形成され縦横および裏、表方向に自由に手で曲げられる特徴がある。これにより現場施工作業では、図２のごとく各浴槽シンク類等の表面に沿うて密着させる事が可能になる。次にこれらを、この密着状態で固定するために、樹脂系プレート（１）の適当な位置に形成した、プレート端面（３）に接着剤塗布部（４）を設ける。
本考案は以上のような構成であり、これを使用せんとするときには、【０００７】  作業現場にて、浴槽シンクやキッチンシンク等の底部やその周囲を、溝部分を曲げながら密着させて、貼りつけていくだけで施工工事は完了する。
【図面の簡単な説明】
【０００８】
【図１】本考案の斜視図である。
【図２】本考案の実施図である。
【符号の説明】
【０００９】１  樹脂系プレート
２  折曲げ用溝
３  プレート端面
４  接着剤塗布部
５  浴槽シンク
【図１】
0003128101.tif 000003
【図２】
0003128101.tif 000004